(57)【要約】      （修正有）【課題】金属針と同様の外観を有し、さらに夜間等における視認性にも優れた指針、指針表示装置及び時計を提供する。【解決手段】指針４が、光透過性の材料で形成された基材４１と、基材４１の視認側の面に配置された可視光を透過する金属調層４２と、基材４１における視認側とは逆側の面に配置され、基材４１に入射した光を反射させる反射層４３を備え、基材４１を形成する材料が、蛍光性物質又は蓄光性物質を含んでいる。【選択図】図３
2018040698.tif 000002
【特許請求の範囲】
【請求項１】
光透過性の材料で形成された基材と、
前記基材の視認側の面に配置された可視光を透過する金属調層と、
を備えることを特徴とする指針。
【請求項２】
前記基材における視認側とは逆側の面に配置され、前記基材に入射した光を反射させる反射層を備えることを特徴とする請求項１に記載の指針。
【請求項３】
前記基材における視認側とは逆側の面は、導光パターンとなっていることを特徴とする請求項１又は請求項２に記載の指針。
【請求項４】
前記基材を形成する材料が、蛍光性物質又は蓄光性物質を含んでいることを特徴とする請求項１から請求項３のいずれか一項に記載の指針。
【請求項５】
前記反射層を形成する材料が、蛍光性物質又は蓄光性物質を含んでいることを特徴とする請求項１から請求項４のいずれか一項に記載の指針。
【請求項６】
前記基材と前記反射層との間に、蛍光性物質又は蓄光性物質を含む材料で形成された発光層を備えることを特徴とする請求項１から請求項５のいずれか一項に記載の指針。
【請求項７】
前記金属調層の上に無反射コーティングを施したことを特徴とする請求項１から請求項６のいずれか一項に記載の指針。
【請求項８】
前記基材の延在方向に直交する幅方向において湾曲又は屈曲していることを特徴とする請求項１から請求項７のいずれか一項に記載の指針。
【請求項９】
請求項１から請求項８のいずれか一項に記載の指針と、
前記指針を運針させるモジュールと、
前記指針を用いて表示を行う表示部と、
を備えることを特徴とする指針表示装置。
【請求項１０】
前記指針に対して光を照射する光源をさらに備えることを特徴とする請求項９に記載の指針表示装置。
【請求項１１】
請求項１から請求項８のいずれか一項に記載の指針と、
前記指針を運針させるモジュールと、
前記指針を用いて表示を行う表示部と、
を備えることを特徴とする時計。
【請求項１２】
前記指針に対して光を照射する光源をさらに備えることを特徴とする請求項１１に記載の時計。
【発明の詳細な説明】
【技術分野】
【０００１】
本発明は、指針、指針表示装置及び時計に関するものである。
【背景技術】
【０００２】
従来、時計等に適用される表示装置において、指針軸に指針を取り付け、指針軸を回転動作させることで指針を回転させて時刻表示や各種の機能表示を行うアナログ方式の指針表示装置が知られている。
しかし、バックライトを備えるデジタル方式の表示装置と異なり、指針表示装置の場合には、暗い場所における視認性が悪く、時刻や各種の機能表示の確認がしにくいという問題がある。
【０００３】
そこで、例えば特許文献１には、透光性を有する材料で形成され、照明光が内部に案内されるように構成された指針を備える車両用の指示計器が提案されている。
指針をこのように構成すれば、暗い場所でも照明光により指針が発光するため、高い視認性を実現することができる。
【先行技術文献】
【特許文献】
【０００４】
【特許文献１】特開２００５−０３７２６５号公報
【発明の概要】
【発明が解決しようとする課題】
【０００５】
しかしながら、特許文献１に提案されているように指針を樹脂によって形成すると、光源が点灯していないときには、指針が明らかに樹脂製と分かる外観となり、高級感に欠ける印象となる。
特に、指針を用いる指針表示装置が時計（腕時計等）である場合、金属製の指針（金属針）を用いることがほとんどであり、一見して樹脂製と分かるような指針では高級感を求めるユーザのニーズを満たすことが難しい。
このため、時計等の指針表示装置に適用される指針としては、金属針を備える場合と同様の高級感を演出しつつ、視認性にも優れたものが求められる。
【０００６】
本発明は以上のような事情に鑑みてなされたものであり、金属針と同様の外観を有し、さらに夜間等における視認性にも優れた指針、指針表示装置及び時計を提供することを目的とするものである。
【課題を解決するための手段】
【０００７】
前記課題を解決するために、本発明に係る指針は、
光透過性の材料で形成された基材と、
前記基材の視認側の面に配置された可視光を透過する金属調層と、
を備えることを特徴としている。
【発明の効果】
【０００８】
本発明によれば、金属針と同様の外観を有し、さらに夜間等における視認性にも優れた指針、指針表示装置及び時計を実現することができるという効果を奏する。
【図面の簡単な説明】
【０００９】
【図１】本実施形態における指針を備える時計の正面図である。
【図２】図１におけるII-II線に沿う時計の要部断面図である。
【図３】第１の実施形態における指針の幅方向の断面図である。
【図４】第２の実施形態における指針の幅方向の断面図である。
【図５】第３の実施形態における指針の幅方向の断面図である。
【図６】第４の実施形態における指針の幅方向の断面図である。
【図７】第４の実施形態における指針の一変形例の幅方向の断面図である。
【図８】第４の実施形態における指針の一変形例の幅方向の断面図である。
【発明を実施するための形態】
【００１０】
［第１の実施形態］
図１から図３を参照しつつ、本発明に係る指針、指針表示装置及び時計の第１の実施形態について説明する。
なお、以下に述べる実施形態では、指針が指針表示装置である時計に設けられている場合を例として説明する。また、以下の実施形態には、本発明を実施するために技術的に好ましい種々の限定が付されているが、本発明の範囲を以下の実施形態及び図示例に限定するものではない。
【００１１】
図１は、本実施形態に係る指針を備えた時計（指針表示装置）を示す正面図であり、図２は、図１におけるII-II線に沿う時計の要部断面図である。
【００１２】
時計１００は、厚み方向の上下に開口した中空の短柱形状に形成されたケース（以下「時計ケース１」という。）を備えている。
この時計ケース１の図１における上下両端部、つまり時計の１２時方向側の端部及び６時方向側の端部には、図示しない時計バンドが取り付けられるバンド取付け部１１が設けられている。
また、時計１００は、時計ケース１の側部等に操作部１２を備えている。
本実施形態では、操作部１２は、その挿入側の端部が時計ケース１内部に収容されているモジュール３（図２参照）と接続されており、操作部１２を押し込み又は回転させることによって各種操作が可能となるように構成された竜頭である。なお、操作部１２は竜頭に限定されず、例えば挿入側の端部をモジュール３側の接点と電気的に接続させることで各種操作を行う押釦等であってもよい。
【００１３】
この時計ケース１の視認側（表面側）の開口は、透明なガラス等で形成された風防部材１３によって閉塞されている。
また、時計ケース１の視認側とは反対側（裏面側）の開口は、図示しない裏蓋部材によって閉塞されている。
【００１４】
図１に示すように、時計ケース１の内部であって風防部材１３の下側（時計の裏面側、図２において下側）には、文字板１５が配設されている。
文字板１５の周縁部には、指針４（時針、分針及び秒針）によって示される時刻の目安となる時字部材１５１が配置されている。
また、文字板１５の上側（時計における視認側、図２において上側）には、文字板１５の外周縁を覆うように見切り部材１６が設けられている。
【００１５】
本実施形態において、見切り部材１６には、時計における６時側の位置に光源収容部１６１が設けられている。
図２に示すように、光源収容部１６１は、見切り部材１６における内周側の一部をくり抜いて空洞としたものであり、見切り部材１６における内周側に開口するとともに、視認側（すなわち、図２において上側）が塞がれている。
光源収容部１６１内には、ＬＥＤ（light emitting diode）等で構成される光源２が配設されている。光源２は、後述する指針４に対して側面方向（図３に示す太矢印方向）から光を照射するものである。
光源２は、後述する回路基板３１側の接続用端子板３２と電気的に接続される端子２１を備えている。
光源収容部１６１は、上記のように、見切り部材１６における内周側が開口し、視認側（すなわち、図２において上側）が塞がれている。このため、光源２から文字板１５の面方向に沿って、指針４の側面に対して光を照射可能となっているとともに、時計１００の表面側には光源２が露出せず、視認側から光源２が見えない構造となっている。
なお、光源２及びこれを収容する光源収容部１６１の位置や数等は図示例に限定されない。例えば、光源２は、時計１００の周方向に沿って複数箇所設けられていてもよい。この場合には、各光源２に対応する位置に光源収容部１６１を設ける。
【００１６】
時計ケース１の内部であって文字板１５の下側（時計の裏面側、図２において下側）には、ハウジング１４に支持されてモジュール３等が収容されている。
モジュール３は、本実施形態における時計１００の指針４等を動作させる運針機構や、運針機構を動作させる動力源（電池）等（いずれも図示せず）を含んでいる。
また、モジュール３の上側であって文字板１５の下方には回路基板３１が配置されている。
本実施形態の回路基板３１には、前述の光源２の端子２１と接続される接続用端子板３２が接続されている。光源２は、端子２１がこの接続用端子板３２と接続されることでモジュール３側の回路基板３１と電気的に接続されるようになっている。
【００１７】
また、モジュール３のほぼ中央部には、指針軸３３が回路基板３１及び文字板１５を貫通し上方に突出して設けられている。
本実施形態において、時計１００は、文字板１５の上方を運針して時刻等を指示（表示）する指針４を備え、指針４を用いて表示を行うアナログ方式の表示部（本実施形態では文字板１５及び指針４）を備えるものであり、指針軸３３の上端部には、秒針、分針、時針等の指針４（図１及び図２では分針及び時針を図示）が袴部４０を介して回転可能に取り付けられている。
なお、時計１００に設けられる表示部は、指針４等を備えるアナログ方式のものに限定されない。例えば時計１００は、アナログ方式の表示部の他に液晶パネル等で構成されるデジタル方式の表示部をも備えるものであってもよい。
【００１８】
図３は、本実施形態における指針の幅方向の断面図（図２において矢印で示す指針の断面を示す図）である。
図３に示すように、本実施形態において、指針４は、幅方向における断面形状がほぼ矩形状であり、上側の幅方向における両端部が面取りされている。なお、指針４の幅方向における断面形状は図示例に限定されない。
本実施形態の指針４は、基材４１と、基材４１の視認側の面に配置された金属調層４２とを備えている。また本実施形態では、指針４は、基材４１における視認側とは逆側の面に配置された反射層４３を備えている。さらに本実施形態では、基材４１における視認側とは逆側の面は、導光パターン４４となっており、反射層４３は、基材４１における導光パターン４４が形成されている面に配置されている。
【００１９】
基材４１は、光透過性の材料で形成されている。
具体的には、透明又は光を半透過させる樹脂で形成されている。基材４１を形成する材料には、蛍光性顔料、蓄光性顔料や拡散材等の、蛍光性物質、蓄光性物質又は拡散物質が含まれていることが好ましい。これにより、光源２が点灯していないときでも指針４を発光させ、暗い場所での視認性を向上させることができる。
なお、指針４を指針軸３３に取り付ける袴部４０は、ステンレス等の金属材料で形成されており、指針４は、インサート成形により袴部４０と基材４１とが一体的に形成されていることが好ましい。
【００２０】
また、本実施形態では、基材４１における視認側とは逆側の面が、導光パターン４４となっている。これにより、指針４の側面方向から入射した光が導光パターン４４によって拡散され、指針４の表面側から比較的均一な光を放射させることができる。このため、指針４の下面側（文字板１５の側）から光を入れるための機構を設けなくても、見切り部材１６の内側に配置された光源２から照射される側面方向からの光によって、効率的に指針４を発光させることができる。
なお、導光パターン４４は効果的に光を拡散し基材４１の表面側に導くことのできるものであればよく、導光パターン４４の形状は図示例に限定されない。導光効果が期待できる各種の形状を導光パターン４４として適用することができる。
また、導光パターン４４は、基材４１自体に施されている場合に限定されず、例えば、導光パターン４４が施された導光板や導光シート等を基材４１における視認側とは逆側の面に貼着等により配置してもよい。
【００２１】
金属調層４２は、金属・金属酸化物等を蒸着する等の手法を用いて形成され、可視光を透過する、半透過性の金属調の膜であり、樹脂である基材４１の表面に金属感が出るように加飾を施すものである。また、金属調層４２は、可視光を一部透過するものであれば良い。このような金属調層４２を設けることで、視認側から指針４を見たときに、あたかも金属製の指針（以下「金属針」という。）であるかのような高級感のある外観とすることができる。
また、このように金属針のような外観でありながらも半透過性であるため、指針４の表面側から光を透過させることができ、暗い場所における指針４の視認性を確保することができる。
【００２２】
反射層４３は、基材４１に入射した光を基材４１における視認側に反射させるものである。なお、金属調層４２が可視光を透過するものなので、反射層４３は無くても良い。
反射層４３は、例えば、光を反射しやすい白色系等の塗料を塗布する塗装や、白色系インクをプリントする印刷等の手法によって形成される。なお、反射層４３の色や反射層４３を形成する手法等は特に限定されない。
なお、本実施形態では、基材４１の側面には金属調層４２や反射層４３が形成されておらず、指針４に側面方向から光が入射しやすいようになっている。
【００２３】
次に、本実施形態における指針及びこれを適用した時計の作用について説明する。
【００２４】
本実施形態において、指針４を形成するには、まずステンレス等の金属材料で袴部４０を形成し、この袴部４０を基材４１を形成するための金型内に挿入する。そして、袴部４０の周りに樹脂を注入して金属部品である袴部４０と樹脂で成型される基材４１とを一体的に形成する。
なお、基材４１を形成する樹脂に蛍光性物質又は蓄光性物質を混入させてもよい。
このようにして形成された基材４１は、視認側の面であって幅方向における端部が面取りされた形状に形成される。また、基材４１における視認側とは逆側の面には、導光パターン４４が形成されている。
次に、袴部４０と一体成形された基材４１の視認側の面に金属蒸着等の手法により、可視光を透過する、半透過性の金属調層４２を形成する。
また、基材４１における視認側とは逆側の面に塗装や各種印刷等の手法により反射層４３を形成する。
【００２５】
このようにして指針４が完成すると、これを光源２が配置された時計１００の指針軸３３に取り付ける。
このような指針４を有する時計１００は、日中や室内等の明るい場所では、金属調層４２により、金属針を有する時計１００のような高級感のある外観となる。
また、暗い場所では、光源２を点灯させて指針４の側面方向から指針４に光を入射させることで、指針４全体を発光させ、視認性を確保することができる。
すなわち、指針４の側面方向から入射した光が導光パターン４４によって拡散され、この光が反射層４３により反射されて、主として半透過性の金属調層４２を介して指針４の上面（表面側）から放出される。
さらに、基材４１を形成する樹脂に蛍光性物質又は蓄光性物質を混入した場合には、光源２を点灯させなくてもしばらくの間は基材４１自体が発光する。このため、この発光光を導光パターン４４で拡散させ、反射層４３において指針４の上面（表面側）に反射させることで指針４全体を発光させることができ、この場合にも視認性が確保される。
【００２６】
以上のように、本実施形態によれば、指針４が、光透過性の材料で形成された基材４１と、この基材４１の視認側の面に配置された可視光を透過する金属調層４２と、基材４１における視認側とは逆側の面に配置され、基材４１に入射した光を基材４１における視認側に反射させる反射層４３とを備えている。
このため、日中や室内等の明るい場所では、金属調層４２により、金属針（金属製の指針）を有する時計１００のような高級感のある外観に見せることができる。
また、暗い場所では、指針４の側面方向から指針４に光を入射させることで、指針４全体を発光させることができる。これにより、暗い場所での指針４の視認性が向上し、容易に時刻や各種の機能表示等を確認することができる。
また、指針４は、樹脂等で形成された基材４１の表裏に金属調層４２や反射層４３を施したものであるため、指針４全体を軽量にすることができる。これにより、例えば指針４の幅や長さ、厚み等を大きくして、重量感のある見た目の指針４とした場合でも小さな力で運針させることが可能になる。
さらに、基材４１を樹脂等で形成するため、金属針と比較して成型や加工が容易であり、指針４の形状等、デザインの自由度が向上する。
そして、このような指針４を指針表示装置である時計１００に組み込むことで、金属製の指針を有するのと同様の高級感と、優れた視認性とを実現でき、かつ、バリエーション豊かなデザインが可能な意匠性に優れた時計１００を実現することができる。
また、本実施形態では、指針４に対して光を照射する光源２をさらに備えているため、暗い場所では、光源２を点灯させることで指針４の側面方向から指針４に光を入射させることができる。指針４の側面方向から入射した光は導光パターン４４で拡散され、反射層４３で指針４の上面に反射される。これにより、指針４全体をより強く発光させることができ、暗い場所でも高い視認性を有する指針４を有する時計１００を実現することができる。
【００２７】
［第２の実施形態］
次に、図４を参照しつつ、本発明に係る指針、指針表示装置及び時計の第２の実施形態について説明する。なお、以下に述べる実施形態では、第１の実施形態と同様に指針が指針表示装置である時計に設けられている場合を例として説明する。本実施形態は、指針の構成のみが第１の実施形態と異なるものであるため、以下においては、特に第１の実施形態と異なる点について説明する。
【００２８】
図４は、本実施形態における指針の幅方向の断面図である。
図４に示すように、本実施形態の指針５は、第１の実施形態と同様に、視認側とは逆側の面（すなわち、裏面）に導光パターン５４が施された基材５１と、基材５１の視認側の面（すなわち、表面）に配置された可視光を透過する半透過性の金属調層５２と、基材５１における視認側とは逆側の面（すなわち、裏面）に配置された反射層５５と、を有する。
また、本実施形態では、基材５１の裏面側に施された導光パターン５４と反射層５５との間に、発光層５３が設けられている。
【００２９】
発光層５３は、蛍光性物質又は蓄光性物質（例えば蛍光顔料や蓄光顔料等）を含む蛍光インクや蛍光塗料を塗布する等により膜状に形成されたものである。
発光層５３を設けることで、光源２を点灯させなくても、発光層５３自体が発光して指針５全体を発光させることができる。
なお、本実施形態のように発光層５３を設ける場合には、基材５１を形成する材料には、蛍光性物質又は蓄光性物質が混入していない単なる透明又は半透明の樹脂を用いてもよい。
また、本実施形態のように、発光層５３の裏面側（図４における下側）に反射層５５を配置した場合には、発光層５３が発光することによる光を指針５の上面側に反射させることができ、より効率的に指針５を発光させることができる。なお、発光層５３を設ける場合には、反射層５５を設けない構成としてもよい。
【００３０】
なお、その他の構成は、第１の実施形態と同様であることから、その説明を省略する。
【００３１】
次に、本実施形態における指針及びこれを適用した指針表示装置である時計の作用について説明する。
【００３２】
本実施形態において、指針５を形成するには、まずインサート成形等により基材５１を形成する。なお、基材５１を形成する樹脂には蛍光性物質又は蓄光性物質を混入させてよいし、混入させなくてもよい。
このようにして形成された基材５１は、視認側の面であって幅方向における端部が面取りされた形状に形成される。また、基材５１における視認側とは逆側の面には、導光パターン５４が形成されている。
次に、基材５１の視認側の面に、可視光を透過する半透過性の金属調層５２を形成し、基材５１における視認側とは逆側の面に発光層５３を形成し、発光層５３の下側に反射層５５を形成する。
【００３３】
このようにして指針５が完成すると、これを光源２が配置された時計１００の指針軸３３に取り付ける。
このような指針５を有する時計１００は、日中や室内等の明るい場所では、金属調層５２により、金属針を有する時計１００のような高級感のある外観となる。
また、暗い場所では、光源２を点灯させることで指針５の側面方向（図４に示す太矢印方向）から指針５に光を入射させる。指針５の側面方向から入射した光は導光パターン５４によって拡散され、この光が反射層５５により反射されて、主として半透過性の金属調層５２を介して指針５の上面（表面側）から放出される。これにより指針５全体を発光させることができ、優れた視認性を確保することができる。
さらに、本実施形態では基材５１の裏面に施された導光パターン５４と反射層５５との間に、発光層５３が設けられている。これにより、暗い場所で光源２を点灯させなくてもしばらくの間は発光層５３が発光する。このため、この発光光を導光パターン５４で拡散させ、反射層５５において指針５の上面（表面側）に反射させることで指針５全体を発光させることができる。
【００３４】
なお、その他の点については、第１の実施形態と同様であることから、その説明を省略する。
【００３５】
以上のように、本実施形態によれば、第１の実施形態と同様の効果を得られる他、以下の効果を得ることができる。
すなわち、本実施形態では、導光パターン５４と反射層５５との間に、発光層５３が設けられている。
これにより、暗い場所で光源２を点灯させなくても、発光層５３が発光することで指針５の全体を発光させることができるため、電池等の消耗を抑えつつ視認性の高い指針５及びこれを備える時計１００を実現することができる。
【００３６】
［第３の実施形態］
次に、図５を参照しつつ、本発明に係る指針、指針表示装置及び時計の第３の実施形態について説明する。なお、以下に述べる実施形態では、第１の実施形態等と同様に指針が指針表示装置である時計に設けられている場合を例として説明する。本実施形態は、指針の構成のみが第１の実施形態等と異なるものであるため、以下においては、特に第１の実施形態等と異なる点について説明する。
【００３７】
図５は、本実施形態における指針の幅方向の断面図である。
図５に示すように、本実施形態の指針６は、第１の実施形態等と同様に、視認側とは逆側の面（すなわち、裏面）に導光パターン６４が施された基材６１と、基材６１の視認側の面（すなわち、表面）に配置された半透過性の金属調層６２と、基材６１における視認側とは逆側の面（すなわち、裏面）に配置された反射層６３と、を有する。
また、本実施形態では、基材５１の表面側に配置された金属調層６２の上（図５において上）に無反射コート（ＡＲコート）層６５が設けられている。
【００３８】
無反射コート層６５は、例えばシリコーン化合物や、フッ化マグネシウム（MgF2）等を金属調層６２の表面に多層膜でコーティング（被膜）することにより形成される。
なお、無反射コート層６５を形成する材料や形成手法等はここに例示したものに限定されない。
本実施形態のように無反射コート層６５を設ける場合には、基材６１や反射層６３を形成する材料に、蛍光性物質又は蓄光性物質を混入して、基材６１や反射層６３自体が発光するように構成することが好ましい。
このように構成した場合、光源２の非点灯時にも基材６１や反射層６３自体が発光するとともに、無反射コート層６５が設けられていることで指針６の視認性も向上し、暗い場所でも光源２を点灯させずに時刻や各種の機能を確実に確認することができる。
【００３９】
なお、その他の構成は、第１の実施形態等と同様であることから、その説明を省略する。
【００４０】
次に、本実施形態における指針及びこれを適用した指針表示装置である時計の作用について説明する。
【００４１】
本実施形態において、指針６を形成するには、まずインサート成形等により基材６１を形成する。なお、基材６１を形成する樹脂には蛍光性物質又は蓄光性物質を混入させることが好ましい。
このようにして形成された基材６１は、視認側の面であって幅方向における端部が面取りされた形状に形成される。また、基材６１における視認側とは逆側の面には、導光パターン６４が形成されている。
次に、基材６１の視認側の面に可視光を透過する半透過性の金属調層６２を形成し、この金属調層６２の上に無反射コーティングを施して、無反射コート層６５を形成する。
また、基材６１における視認側とは逆側の面に反射層６３を形成する。なお、反射層６３を形成する樹脂には蛍光性物質又は蓄光性物質を混入させることが好ましい。
【００４２】
このようにして指針６が完成すると、これを光源２が配置された時計１００の指針軸３３に取り付ける。
このような指針６を有する時計１００は、日中や室内等の明るい場所では、金属調層６２により、金属製の針を有する時計１００のような高級感のある外観となる。
また、暗い場所では、光源２を点灯させることで指針６の側面方向（図５に示す太矢印方向）から指針６に光を入射させる。指針６の側面方向から入射した光は導光パターン６４によって拡散され、この光が反射層６３により反射されて、主として半透過性の金属調層６２を介して指針６の上面（表面側）から放出される。これにより指針６全体を発光させることができ、優れた視認性を確保することができる。
さらに、本実施形態において基材６１や反射層６３を形成する樹脂に蛍光性物質又は蓄光性物質を混入させた場合、暗い場所でもしばらくの間は基材６１や反射層６３自体が発光する。これにより、指針６全体を発光させることができる。
そして、指針６の最表面には無反射コート層６５が形成されているため、より優れた視認性を実現することができる。
【００４３】
なお、その他の点については、第１の実施形態等と同様であることから、その説明を省略する。
【００４４】
以上のように、本実施形態によれば、第１の実施形態等と同様の効果を得られる他、以下の効果を得ることができる。
すなわち、本実施形態では、指針６の最表面には無反射コート層６５が設けられている。
これにより、暗い場所において光源２を点灯させた場合でも、光源２非点灯の場合でも、光源２による発光や基材６１や反射層６３自体が発光することで指針６の全体を発光させることができるとともに、発光する指針６の視認性を無反射コート層６５によってより一層向上させることができ、時刻や各種の機能を確実に確認することができる。
【００４５】
［第４の実施形態］
次に、図６を参照しつつ、本発明に係る指針、指針表示装置及び時計の第４の実施形態について説明する。なお、以下に述べる実施形態では、第１の実施形態等と同様に指針が指針表示装置である時計に設けられている場合を例として説明する。本実施形態は、指針の構成のみが第１の実施形態等と異なるものであるため、以下においては、特に第１の実施形態等と異なる点について説明する。
【００４６】
図６は、本実施形態における指針の幅方向の断面図である。
図６に示すように、本実施形態の指針６は、第１の実施形態等と同様に、視認側とは逆側の面（すなわち、裏面）に導光パターン７４が施された基材７１と、基材７１の視認側の面（すなわち、表面）に配置された、可視光を透過する半透過性の金属調層７２と、基材７１における視認側とは逆側の面（すなわち、裏面）に配置された反射層７３と、を有する。
【００４７】
図６に示すように、本実施形態の指針７は、基材７１の延在方向（すなわち、指針７の長手方向）に直交する幅方向において湾曲している。
湾曲の仕方や角度等は特に限定さない。本実施形態では、指針７の幅方向におけるほぼ中央部が最も高く、全体が緩やかな弧状となるように湾曲している。
【００４８】
なお、その他の構成は、第１の実施形態等と同様であることから、その説明を省略する。
【００４９】
次に、本実施形態における指針及びこれを適用した指針表示装置である時計の作用について説明する。
【００５０】
本実施形態において、指針７を形成するには、まずインサート成形等により基材７１を形成する。なお、基材７１を形成する樹脂には蛍光性物質又は蓄光性物質を混入させることが好ましい。
このようにして形成された基材７１は、視認側の面であって幅方向における端部が面取りされた形状に形成される。また、基材７１における視認側とは逆側の面には、導光パターン７４が形成されている。
次に、基材７１の視認側の面に、可視光を透過する、半透過性の金属調層７２を形成する。
また、基材７１における視認側とは逆側の面に反射層７３を形成する。
なお、基材７１や反射層７３を形成する樹脂には蛍光性物質又は蓄光性物質を混入させることが好ましい。
【００５１】
このようにして指針７が完成すると、これを光源２が配置された時計１００の指針軸３３に取り付ける。
このような指針７を有する時計１００は、日中や室内等の明るい場所では、金属調層７２により、金属針を有する時計１００のような高級感のある外観となる。
また、暗い場所では、光源２を点灯させることで指針７の側面方向（図６に示す太矢印方向）から指針７に光を入射させる。指針７の側面方向から入射した光は導光パターン７４によって拡散され、この光が反射層７３により反射されて、主として、可視光を透過する半透過性の金属調層７２を介して指針７の上面（表面側）から放出される。これにより指針７全体を発光させることができ、優れた視認性を確保することができる。
さらに、本実施形態において指針７は、基材７１の延在方向（すなわち、指針７の長手方向）に直交する幅方向において湾曲している。
このように、指針７の幅方向における断面形状を矩形状とせず、指針７の厚み方向に湾曲しているため、指針７の反りや歪み等の変形を生じにくい。
【００５２】
なお、その他の点については、第１の実施形態等と同様であることから、その説明を省略する。
【００５３】
以上のように、本実施形態によれば、第１の実施形態等と同様の効果を得られる他、以下の効果を得ることができる。
すなわち、本実施形態では、指針７は、基材７１の延在方向（すなわち、指針７の長手方向）に直交する幅方向において湾曲している。
このように、指針７の幅方向における断面形状を矩形状とせず、指針７の厚み方向に変化のある形状とすることにより、指針７の強度が向上し、反りや歪み等を生じにくくすることができる。
これにより、より大きな指針７を樹脂等の比較的軽量の材料で形成する場合でも指針７に変形等が生じにくく、指針７のデザインの自由度が増す。
また、このように指針７の幅方向における断面形状を全体が緩やかな弧状となるように湾曲させることで、指針７に立体感が出て、意匠性にも優れたものとすることができる。
そして、このような指針７を指針表示装置である時計１００に組み込むことで、金属製の指針を有するのと同様の高級感と、優れた視認性とを実現でき、かつ、バリエーション豊かなデザインが可能な意匠性に優れた時計１００を実現することができる。
【００５４】
なお、以上本発明の実施形態について説明したが、本発明は、かかる実施形態に限定されず、その要旨を逸脱しない範囲で、種々変形が可能であることは言うまでもない。
【００５５】
例えば、上記第１の実施形態のような構成の指針において、基材４１に、蛍光性物質を含有させ（なお、蛍光性物質は反射層４３との間に塗布されていても良い）、金属調層４２は、可視光を透過するものとし、反射層４３は、紫外線（ＵＶ光）を透過して可視光を反射するものとしても良い。この場合、光源２は、紫外線を照射するものとする。このような構成においても、日中や室内等の明るい場所では、金属調層４２により、金属針（金属製の指針）を有する時計１００のような高級感のある外観に見せることができ、また、暗い場所では、指針４の側面方向から指針４に紫外線を入射させることで、指針４全体を発光させることができる。これにより、暗い場所での指針４の視認性が向上し、容易に時刻や各種の機能表示等を確認することができ、第１の実施形態等と同様の効果を得られる。
さらに、この反射層４３を基材４１における視認側とは逆側の面に配置するだけではなく、指針４の側面方向にも配置しても良い。
【００５６】
また、例えば、上記第４の実施形態では、指針７が、基材７１の延在方向（すなわち、指針７の長手方向）に直交する幅方向において湾曲している場合を例示したが、基材７１の幅方向の形状はこれに限定されない。
例えば、図７には、基材８１と、基材８１の視認側の面（すなわち、表面）に配置された半透過性の金属調層８２と、基材８１における視認側とは逆側の面（すなわち、裏面）に配置された反射層８３とを有する指針８であって、基材８１の延在方向（すなわち、指針８の長手方向）に直交する幅方向において波打ち形状に湾曲している場合を例示している。
また、図８には、基材９１と、基材９１の視認側の面（すなわち、表面）に配置された半透過性の金属調層９２と、基材９１における視認側とは逆側の面（すなわち、裏面）に配置された反射層９３とを有する指針９であって、基材９１の延在方向（すなわち、指針８の長手方向）に直交する幅方向において中央部が高くなる山型形状に屈曲している場合を例示している。
【００５７】
図７、図８に示すように、指針の形状を、基材８１の延在方向（すなわち、指針８の長手方向）に直交する幅方向において波打ち形状に湾曲させたり、基材９１の延在方向（すなわち、指針８の長手方向）に直交する幅方向において中央部が高くなる山型形状に屈曲させた場合にも、指針の強度が向上し、反りや歪み等を生じにくくすることができるとともに、立体感のある意匠性に優れた指針を実現することができる。
そして、このような指針を指針表示装置である時計１００に組み込むことで、金属製の指針を有するのと同様の高級感と、優れた視認性とを実現でき、かつ、バリエーション豊かなデザインが可能な意匠性に優れた時計１００を実現することができる。
なお、実施形態において図示した基材７１の幅方向の形状は例示であり、これに限定されるものではなく、各種形状によることが可能である。
【００５８】
また、上記各実施形態では、基材の裏面側に導光パターンが施されている場合を例示したが、基材の裏面側に導光パターンを設けることは必須ではない。
例えば、図７、図８に示すように、指針８，９が、基材８１，９１の視認側の面（すなわち、表面）に配置された半透過性の金属調層８２，９２と、基材８１，９１における視認側とは逆側の面（すなわち、裏面）に配置された反射層８３，９３とを有し、導光パターンを備えない構成としてもよい。
【００５９】
また、本実施形態では、２つの指針（例えば、時針と分針）を備え、これらを上記各実施形態で示したような構成の指針とする例を示したが、指針の数や種類はこれに限定されない。例えば、秒針も含めた３つの指針を備え、これらすべてに本発明の指針を適用してもよい。また、各種機能針に本発明の指針を適用してもよい。
さらに、時計１００の備える指針の全てに本発明の指針を適用しなくてもよく、例えば、指針として時針、分針、秒針を備える場合に、時針、分針に本発明の指針を適用し、秒針は金属針としてもよい。
【００６０】
また、本実施形態では、指針が時計１００に設けられている場合を例示したが、本発明の指針を適用可能な指針表示装置は、時計に限定されない。
指針を有する表示装置であれば、本発明の指針を広く適用することができる。
【００６１】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
光透過性の材料で形成された基材と、
前記基材の視認側の面に配置された可視光を透過する金属調層と、
を備えることを特徴とする指針。
＜請求項２＞
前記基材における視認側とは逆側の面に配置され、前記基材に入射した光を反射させる反射層を備えることを特徴とする請求項１に記載の指針。
＜請求項３＞
前記基材における視認側とは逆側の面は、導光パターンとなっていることを特徴とする請求項１又は請求項２に記載の指針。
＜請求項４＞
前記基材を形成する材料が、蛍光性物質又は蓄光性物質を含んでいることを特徴とする請求項１から請求項３のいずれか一項に記載の指針。
＜請求項５＞
前記反射層を形成する材料が、蛍光性物質又は蓄光性物質を含んでいることを特徴とする請求項１から請求項４のいずれか一項に記載の指針。
＜請求項６＞
前記基材と前記反射層との間に、蛍光性物質又は蓄光性物質を含む材料で形成された発光層を備えることを特徴とする請求項１から請求項５のいずれか一項に記載の指針。
＜請求項７＞
前記金属調層の上に無反射コーティングを施したことを特徴とする請求項１から請求項６のいずれか一項に記載の指針。
＜請求項８＞
前記基材の延在方向に直交する幅方向において湾曲又は屈曲していることを特徴とする請求項１から請求項７のいずれか一項に記載の指針。
＜請求項９＞
請求項１から請求項８のいずれか一項に記載の指針と、
前記指針を運針させるモジュールと、
前記指針を用いて表示を行う表示部と、
を備えることを特徴とする指針表示装置。
＜請求項１０＞
前記指針に対して光を照射する光源をさらに備えることを特徴とする請求項９に記載の指針表示装置。
＜請求項１１＞
請求項１から請求項８のいずれか一項に記載の指針と、
前記指針を運針させるモジュールと、
前記指針を用いて表示を行う表示部と、
を備えることを特徴とする時計。
＜請求項１２＞
前記指針に対して光を照射する光源をさらに備えることを特徴とする請求項１１に記載の時計。
【符号の説明】
【００６２】
１      時計ケース
２      光源
３      モジュール
４      指針
４１    基材
４２    金属調層
４３    反射層
４４    導光パターン
５３    発光層
６５    無反射コート層
１００  時計
【図１】
2018040698.tif 000003
【図２】
2018040698.tif 000004
【図３】
2018040698.tif 000005
【図４】
2018040698.tif 000006
【図５】
2018040698.tif 000007
【図６】
2018040698.tif 000008
【図７】
2018040698.tif 000009
【図８】
2018040698.tif 000010